(57)【要約】【課題】ユーザの好みの位置を視認できるように後写鏡の角度を設定できる技術の提供。【解決手段】本発明の後写鏡角度設定システムは、角度が可変の後写鏡によって視認可能な可視領域を含む車両の周辺画像を表示部に表示させる周辺画像表示手段と、前記周辺画像内に基準ポイントを表示する基準ポイント表示手段と、前記周辺画像内における前記基準ポイントの位置をユーザの移動操作に応じて移動させ、移動後の前記基準ポイントの位置が前記後写鏡によって視認できるように前記後写鏡の角度を設定する角度設定手段と、を備える。【選択図】図３
2015140068.tif 000002
【特許請求の範囲】
【請求項１】
角度が可変の後写鏡によって視認可能な可視領域を含む車両の周辺画像を表示部に表示させる周辺画像表示手段と、
前記周辺画像内に基準ポイントを表示する基準ポイント表示手段と、
前記周辺画像内における前記基準ポイントの位置をユーザの移動操作に応じて移動させ、移動後の前記基準ポイントの位置が前記後写鏡によって視認できるように前記後写鏡の角度を設定する角度設定手段と、
を備える後写鏡角度設定システム。
【請求項２】
前記周辺画像表示手段は、前記周辺画像内において前記可視領域と当該可視領域外とを識別する画像を表示する、
請求項１に記載の後写鏡角度設定システム。
【請求項３】
前記基準ポイント表示手段は、前記基準ポイントの位置が視認できるように角度が調整された前記後写鏡を見た場合に、前記基準ポイントの位置とともに視認できる範囲を示す後写鏡視野を前記周辺画像内に表示する、
請求項１または請求項２のいずれかに記載の後写鏡角度設定システム。
【請求項４】
前記基準ポイント表示手段は、前記基準ポイントの位置の仮決定操作を受け付けた場合に、前記後写鏡視野を前記周辺画像内に表示する、
請求項３に記載の後写鏡角度設定システム。
【請求項５】
前記角度設定手段は、
前記仮決定操作を受け付ける前と後のいずれにおいても、前記周辺画像内における前記基準ポイントの位置を前記移動操作に応じて移動させるとともに、
前記仮決定操作を受け付けた場合、前記移動操作の単位操作量に応じて前記基準ポイントが前記周辺画像内にて移動する単位移動量を減少させる、
請求項４に記載の後写鏡角度設定システム。
【請求項６】
前記角度設定手段は、
前記仮決定操作を受け付けた後において、前記基準ポイントを前記周辺画像外へと移動させる操作を受け付けた場合、前記周辺画像内における前記基準ポイントの位置を所定の基準位置に移動させるとともに、前記単位移動量を増加させる、
請求項４または請求項５のいずれかに記載の後写鏡角度設定システム。
【請求項７】
前記基準ポイント表示手段は、前記周辺画像内における前記基準ポイントの位置が前記車両から離れるほど、前記基準ポイントの大きさを小さく表示する、
請求項１から請求項６のいずれか一項に記載の後写鏡角度設定システム。
【請求項８】
前記角度設定手段は、移動後の前記基準ポイントの位置、および、ユーザの視点位置に応じて前記後写鏡の角度を設定する、
請求項１から請求項７のいずれか一項に記載の後写鏡角度設定システム。
【請求項９】
前記視点位置は、ユーザが着座するシートの状態に基づいて取得される、
請求項８に記載の後写鏡角度設定システム。
【請求項１０】
前記基準ポイント表示手段は、前記基準ポイントの位置が視認できるように角度が調整された前記後写鏡を、前記視点位置の誤差範囲内のいずれの位置から見た場合にも、共通して視認できる共通範囲を前記周辺画像内にて表示する、
請求項８または請求項９のいずれかに記載の後写鏡角度設定システム。
【請求項１１】
角度が可変の後写鏡によって視認可能な可視領域を含む車両の周辺画像を表示部に表示させる周辺画像表示工程と、
前記周辺画像内に基準ポイントを表示する基準ポイント表示工程と、
前記周辺画像内における前記基準ポイントの位置をユーザの移動操作に応じて移動させ、移動後の前記基準ポイントの位置が前記後写鏡によって視認できるように前記後写鏡の角度を設定する角度設定工程と、
を含む後写鏡角度設定方法。
【請求項１２】
角度が可変の後写鏡によって視認可能な可視領域を含む車両の周辺画像を表示部に表示させる周辺画像表示機能と、
前記周辺画像内に基準ポイントを表示する基準ポイント表示機能と、
前記周辺画像内における前記基準ポイントの位置をユーザの移動操作に応じて移動させ、移動後の前記基準ポイントの位置が前記後写鏡によって視認できるように前記後写鏡の角度を設定する角度設定機能と、
をコンピュータに実現させる後写鏡角度設定プログラム。
【発明の詳細な説明】
【技術分野】
【０００１】
本発明は、後写鏡の角度を設定する後写鏡角度設定システム、後写鏡角度設定方法および後写鏡角度設定プログラムに関する。
【背景技術】
【０００２】
運転手を撮影した映像に基づいて仮想アバターを生成し、当該仮想アバターの目に映るミラーの様子を推定する技術が知られている（特許文献１，図９，１０、参照）。特許文献１において、ミラーに映る仮想水平線よりも上部／下部の比率等が最適となるようにミラーを回転させている。この技術によれば、運転手の姿勢に適した方向にミラーを回転させることができる。
【先行技術文献】
【特許文献】
【０００３】
【特許文献１】特開２０１３−１４３１０号公報
【発明の概要】
【発明が解決しようとする課題】
【０００４】
しかしながら、ミラーによって見たい位置は運転手の好みによって様々となるため、運転手の好みに応じてミラーの角度を設定できないという問題があった。
本発明は、前記課題にかんがみてなされたもので、ユーザの好みの位置を視認できるように後写鏡の角度を設定できる技術を提供することを目的とする。
【課題を解決するための手段】
【０００５】
前記の目的を達成するため、本発明の後写鏡角度設定システムは、角度が可変の後写鏡によって視認可能な可視領域を含む車両の周辺画像を表示部に表示させる周辺画像表示手段と、周辺画像内に基準ポイントを表示する基準ポイント表示手段と、周辺画像内における基準ポイントの位置をユーザの移動操作に応じて移動させ、移動後の基準ポイントの位置が後写鏡によって視認できるように後写鏡の角度を設定する角度設定手段と、を備える。
【０００６】
また、前記の目的を達成するため、本発明の後写鏡角度設定方法は、角度が可変の後写鏡によって視認可能な可視領域を含む車両の周辺画像を表示部に表示させる周辺画像表示工程と、周辺画像内に基準ポイントを表示する基準ポイント表示工程と、周辺画像内における基準ポイントの位置をユーザの移動操作に応じて移動させ、移動後の基準ポイントの位置が後写鏡によって視認できるように後写鏡の角度を設定する角度設定工程と、を含む。
【０００７】
さらに、前記の目的を達成するため、本発明の後写鏡角度設定プログラムは、角度が可変の後写鏡によって視認可能な可視領域を含む車両の周辺画像を表示部に表示させる周辺画像表示機能と、周辺画像内に基準ポイントを表示する基準ポイント表示機能と、周辺画像内における基準ポイントの位置をユーザの移動操作に応じて移動させ、移動後の基準ポイントの位置が後写鏡によって視認できるように後写鏡の角度を設定する角度設定機能と、をコンピュータに実現させる。
【０００８】
以上のように構成された本発明において、ユーザは、移動操作を行うことによって基準ポイントの位置を任意に移動でき、当該基準ポイントの位置が視認できるように後写鏡の角度を設定できる。すなわち、ユーザの好みの位置を視認できるように後写鏡の角度を設定できる。
【図面の簡単な説明】
【０００９】
【図１】後写鏡角度設定システムを含むナビゲーションシステムのブロック図である。
【図２】（２Ａ）は車両の平面模式図、（２Ｂ）（２Ｃ）は周辺画像の例である。
【図３】後写鏡視野情報を示す表である。
【図４】後写鏡角度設定処理のフローチャートである。
【発明を実施するための形態】
【００１０】
ここでは、下記の順序に従って本発明の実施の形態について説明する。
（１）ナビゲーションシステムの構成：
（２）後写鏡角度設定処理：
（３）他の実施形態：
【００１１】
（１）ナビゲーションシステムの構成：
図１は、本発明にかかる後写鏡角度設定システムを含むナビゲーションシステム１０の構成を示すブロック図である。ナビゲーションシステム１０は、車両Ｚに備えられている。ナビゲーションシステム１０は、ＣＰＵ，ＲＡＭ，ＲＯＭ等を備える制御部２０と記録媒体３０とを備えており、記録媒体３０やＲＯＭに記憶されたプログラムを制御部２０が実行する。本実施形態においては、このプログラムの一つとしてナビゲーションプログラムを実行可能であり、当該ナビゲーションプログラムはその機能の一つを実現するためのプログラムモジュールとして、後写鏡角度設定プログラム２１を含んでいる。制御部２０は、後写鏡角度設定プログラム２１を実行することにより、後写鏡の角度を設定する後写鏡角度設定システムとしてナビゲーションシステム１０を機能させる。
【００１２】
記録媒体３０には地図情報３０ａが記録されている。地図情報３０ａは、車両Ｚが走行する道路上に設定されたノードの位置を示すノードデータ、ノード間を接続する道路区間（リンク）の形状を特定するための形状補間点データ、ノード間を接続する道路区間についての情報であるリンクデータ、施設についての情報である施設データ等を含んでいる。
【００１３】
また、記録媒体３０には後写鏡視野情報３０ｂが記録されている。後写鏡視野情報３０ｂは、左右の後写鏡（ドアミラー）のそれぞれについて、当該後写鏡によって視認可能な範囲である後写鏡視野を特定するデータである。
【００１４】
図２Ａは、後写鏡視野を説明する車両Ｚの平面模式図である。車両Ｚは、左右それぞれの側面に左後写鏡４２ａ（太線）および右後写鏡４２ｂ（太線）を備えている。図２Ａに示すように、ユーザ（運転者）の視点位置Ｐから左後写鏡４２ａおよび右後写鏡４２ｂをそれぞれ視認した場合に、当該左後写鏡４２ａおよび当該右後写鏡４２ｂに映り込んで視認可能となる領域がそれぞれ左後写鏡視野Ｆａおよび右後写鏡視野Ｆｂとなる。左後写鏡４２ａおよび右後写鏡４２ｂのそれぞれの外周縁にて反射して、視点位置Ｐに到達する光線によって囲まれた領域が左後写鏡視野Ｆａおよび右後写鏡視野Ｆｂに対応する。図２Ａに示すように、左後写鏡４２ａの水平方向の両端のそれぞれにて反射して、視点位置Ｐに到達する光線によって挟まれた領域が水平方向における左後写鏡視野Ｆａに対応する。同様に、右後写鏡４２ｂの水平方向の両端のそれぞれにて反射して、視点位置Ｐに到達する光線によって挟まれた領域が水平方向における右後写鏡視野Ｆｂに対応する。
【００１５】
ここで、左後写鏡視野Ｆａおよび右後写鏡視野Ｆｂは、視点位置Ｐと左後写鏡４２ａおよび右後写鏡４２ｂの角度Ｔａ，Ｔｂに依存する。そのため、後写鏡視野情報３０ｂにおいて、視点位置Ｐおよび左後写鏡４２ａの角度Ｔａとの組み合わせごとに左後写鏡視野Ｆａが記録され、視点位置Ｐおよび右後写鏡４２ｂの角度Ｔｂとの組み合わせごとに右後写鏡視野Ｆｂが記録されている。
【００１６】
図３は、後写鏡視野情報３０ｂ（左後写鏡視野Ｆａについてのみ）を示す表である。同図に示すように、あらゆる視点位置Ｐ0，Ｐ1，Ｐ2…Ｐi…と、あらゆる左後写鏡４２ａの角度Ｔａ0，Ｔａ1，Ｔａ2…Ｔａj…との組み合わせごとに、左後写鏡視野Ｆａi-jが特定されている。なお、後写鏡視野情報３０ｂは、視点位置Ｐと左後写鏡４２ａおよび右後写鏡４２ｂの角度Ｔａ，Ｔｂを変化させながら、左後写鏡４２ａと右後写鏡４２ｂとで視認できる範囲を調査することにより作成しておくことができる。むろん、後写鏡視野情報３０ｂは、左後写鏡４２ａと右後写鏡４２ｂの外周縁にて反射して、視点位置Ｐに到達する光の光路を予測することにより作成されてもよい。ここで、あらゆる視点位置Ｐとは、運転席に着座するユーザの視点が移動し得る位置であり、運転席の状態を可動範囲内の全域で変化させた場合に移動し得るユーザの視点が移動し得る位置である。また、あらゆる左後写鏡４２ａおよび右後写鏡４２ｂの角度Ｔａ，Ｔｂとは、左後写鏡４２ａおよび右後写鏡４２ｂを可動範囲内の全域で変化させた場合に変化し得る左後写鏡４２ａおよび右後写鏡４２ｂの角度Ｔａ，Ｔｂである。
【００１７】
ナビゲーションシステム１０が備えられた車両Ｚには、図示しないＧＰＳ受信部や車速センサ，ジャイロセンサ等が備えられており、制御部２０は、ＧＰＳ受信部や車速センサ，ジャイロセンサ等の出力信号および地図情報３０ａに基づいて車両Ｚの現在位置を特定する。また、制御部２０は、ナビゲーションプログラムを実行することにより、目的地までの走行予定経路を探索し、車両Ｚの現在位置と走行予定経路とを比較し、車両Ｚが走行予定経路に沿って走行するための案内等を実行する。
【００１８】
図１に示すように、車両Ｚは、後写鏡ＥＣＵ（Electrical Control Unit）４０とアクチュエータ４１ａ，４１ｂと左後写鏡４２ａと右後写鏡４２ｂと左カメラ４３ａと右カメラ４３ｂとタッチパネル４４とシートＥＣＵ４５とアクチュエータ群４６と運転席４７とを備えている。後写鏡ＥＣＵ４０は、左後写鏡４２ａおよび右後写鏡４２ｂのそれぞれに対応して備えられたアクチュエータ４１ａ，４１ｂを駆動させることにより、左後写鏡４２ａおよび右後写鏡４２ｂの角度Ｔａ，Ｔｂを調整するためのコンピュータである。後写鏡ＥＣＵ４０は、制御部２０に対して現在の左後写鏡４２ａおよび右後写鏡４２ｂの角度Ｔａ，Ｔｂを特定するための信号を出力するとともに、制御部２０から出力された制御信号が示す左後写鏡４２ａおよび右後写鏡４２ｂの角度Ｔａ，Ｔｂが実現できるようにアクチュエータ４１ａ，４１ｂを駆動させる。本実施形態において、左後写鏡４２ａおよび右後写鏡４２ｂの角度Ｔａ，Ｔｂは、アクチュエータ４１ａ，４１ｂによって水平方向および鉛直方向に調整可能となっている。
【００１９】
左カメラ４３ａおよび右カメラ４３ｂは、それぞれ角度Ｔａ，Ｔｂが可変の左後写鏡４２ａおよび右後写鏡４２ｂによって視認可能な可視領域を含む左周辺画像Ｎａおよび右周辺画像Ｎｂを撮影するための撮像素子である。本実施形態において、左カメラ４３ａおよび右カメラ４３ｂは、それぞれ左後写鏡４２ａおよび右後写鏡４２ｂが収容されたカバー内に備えられている。左カメラ４３ａおよび右カメラ４３ｂは、視点位置Ｐと角度Ｔａ，Ｔｂとのいかなる組み合わせにおいても、左後写鏡視野Ｆａおよび右後写鏡視野Ｆｂの全体がそれぞれ左周辺画像Ｎａおよび右周辺画像Ｎｂに含まれるように、画角および光軸方向が設定されている。すなわち、後写鏡視野情報３０ｂに記録されているいかなる左後写鏡視野Ｆａも左周辺画像Ｎａ内に含まれ、いかなる右後写鏡視野Ｆｂも右周辺画像Ｎｂ内に含まれるように、左カメラ４３ａおよび右カメラ４３ｂが備えられている。なお、後写鏡視野情報３０ｂにおいて、左後写鏡視野Ｆａに対応する左周辺画像Ｎａ内の座標が左後写鏡視野Ｆａを特定する情報として記録され、同様に、右後写鏡視野Ｆｂに対応する右周辺画像Ｎｂ内の座標が右後写鏡視野Ｆｂを特定する情報として記録されている。
【００２０】
図２Ｂ，２Ｃは、左周辺画像Ｎａおよび右周辺画像Ｎｂを示す図である。同図に示すように、左周辺画像Ｎａ内に左後写鏡視野Ｆａが含まれ、右周辺画像Ｎｂ内に右後写鏡視野Ｆｂが含まれている。図２Ｂ，２Ｃの例では、左周辺画像Ｎａおよび右周辺画像Ｎｂに車道と歩道と車体の像が含まれている。
【００２１】
タッチパネル４４は、制御部２０から出力された映像信号に基づいて各種のＵＩ画面を表示する表示装置である。また、タッチパネル４４は、当該タッチパネル４４上におけるユーザの指やタッチペン等（以下、指等）の接触を検出し、当該指等が接触した位置を示す信号を制御部２０に出力する入力装置である。
【００２２】
シートＥＣＵ４５は、アクチュエータ群４６を駆動させることにより、ユーザが着座する運転席４７の状態を調整するためのコンピュータである。具体的に、シートＥＣＵ４５は、制御部２０からの制御信号に基づいて、アクチュエータ群４６を駆動させることにより、運転席４７の状態（全体の前後位置、座面部の高さ、背もたれ部の傾斜角度等）を調整する。また、シートＥＣＵ４５は、現在調整されている運転席４７の状態を示す信号を制御部２０に出力する。
【００２３】
次に、後写鏡角度設定プログラム２１のソフトウェア構成について説明する。後写鏡角度設定プログラム２１は、周辺画像表示部２１ａと基準ポイント表示部２１ｂと角度設定部２１ｃとを含む。
周辺画像表示部２１ａは、角度Ｔａ，Ｔｂが可変の左後写鏡４２ａおよび右後写鏡４２ｂによってそれぞれ視認可能な可視領域を含む車両Ｚの左周辺画像Ｎａおよび右周辺画像Ｎｂをタッチパネル４４に表示させる機能を制御部２０に実現させるプログラムモジュールである。すなわち、周辺画像表示部２１ａの機能により制御部２０は、左周辺画像Ｎａおよび右周辺画像Ｎｂをタッチパネル４４に表示させる。上述のように後写鏡視野情報３０ｂに記録されているいかなる左後写鏡視野Ｆａも左周辺画像Ｎａに含まれ、いかなる右後写鏡視野Ｆｂも右周辺画像Ｎｂに含まれるため、左周辺画像Ｎａおよび右周辺画像Ｎｂを表示することにより、角度Ｔａ，Ｔｂが可変の左後写鏡４２ａおよび右後写鏡４２ｂによって視認可能な可視領域を含む周辺画像を表示できる。なお、タッチパネル４４には左周辺画像Ｎａおよび右周辺画像Ｎｂ以外の画像も表示される。
【００２４】
また、周辺画像表示部２１ａの機能により制御部２０は、左周辺画像Ｎａ内および右周辺画像Ｎｂ内において可視領域と当該可視領域外とを識別する画像を表示する。本実施形態において、制御部２０は、可視領域と当該可視領域外とを識別する画像として、可視領域と当該可視領域外との境界線（図２Ｂ，２Ｃの破線）を表示する。当該境界線の内側の領域が左可視領域Ｖａおよび右可視領域Ｖｂとなっている。左可視領域Ｖａおよび右可視領域Ｖｂを識別する画像として、制御部２０は、左可視領域Ｖａおよび右可視領域Ｖｂを所定の色で塗りつぶした画像を表示してもよい。
【００２５】
以下、左可視領域Ｖａおよび右可視領域Ｖｂの取得方法について説明する。本実施形態において、制御部２０は、左可視領域Ｖａおよび右可視領域Ｖｂを視点位置Ｐに基づいて取得する。ここで、視点位置Ｐは、ユーザが着座する運転席４７の状態に基づいて取得される。すなわち、制御部２０は、現在調整されている運転席４７の状態（全体の前後位置と座面部の高さと背もたれ部の傾斜角度等）を示す信号を、シートＥＣＵ４５から取得し、当該信号に基づいて視点位置Ｐを取得する。例えば、制御部２０は、運転席４７全体が前方にあるほど、前方の位置を視点位置Ｐとして取得することができる。また、制御部２０は、運転席４７の座面部の高さが高いほど、高い位置を視点位置Ｐとして取得することができる。さらに、制御部２０は、運転席４７の背もたれ部の傾斜角度に基づいて、当該背もたれ部の上方に備えられるヘッドレストの前後の位置と高さとを推定し、当該ヘッドレストの前後の位置と高さに基づいて視点位置Ｐを取得することができる。なお、運転席４７全体の前後位置と座面部の高さと背もたれ部の傾斜角度の組み合わせと視点位置Ｐとの対応関係を規定したテーブル予め用意しておき、制御部２０は、当該テーブルを参照することにより視点位置Ｐを取得してもよい。また、制御部２０は、運転席４７の状態とユーザの体型に基づいて視点位置Ｐを取得してもよい。
【００２６】
制御部２０は、視点位置Ｐを取得すると、左後写鏡４２ａおよび右後写鏡４２ｂをあらゆる角度Ｔａ，Ｔｂに変化させた場合に、当該視点位置Ｐから視認できる範囲を左可視領域Ｖａおよび右可視領域Ｖｂとして取得する。具体的に、制御部２０は、後写鏡視野情報３０ｂにおいて当該視点位置Ｐに対応付けられているすべての左後写鏡視野Ｆａおよび右後写鏡視野Ｆｂを取得する。そして、制御部２０は、視点位置Ｐに対応付けられているすべての左後写鏡視野Ｆａを左周辺画像Ｎａ上にて重ね合わせ、少なくとも１個の左後写鏡視野Ｆａによってカバーされている領域を左可視領域Ｖａとして取得する。図３においては、運転席４７の状態に基づいて視点位置Ｐ3が取得されており、当該視点位置Ｐ3に対応付けられているすべての左後写鏡視野Ｆａ0-3，Ｆａ1-3，Ｆａ2-3…（ハッチング）のうちの少なくとも１個によってカバーされている領域が左可視領域Ｖａ（破線枠内）として取得されている。同様に、制御部２０は、視点位置Ｐに対応付けられているすべての右後写鏡視野Ｆｂを右周辺画像Ｎｂ上にて重ね合わせ、少なくとも１個の右後写鏡視野Ｆｂによってカバーされている領域を右可視領域Ｖｂとして取得する。そして、図２Ｂ，２Ｃにて破線で示すように、制御部２０は、左可視領域Ｖａおよび右可視領域Ｖｂを他の領域から識別する境界線をそれぞれ左周辺画像Ｎａ内および右周辺画像Ｎｂ内に表示する。
【００２７】
基準ポイント表示部２１ｂは、左周辺画像Ｎａ内および右周辺画像Ｎｂ内に基準ポイントを表示する機能を制御部２０に実現させるプログラムモジュールである。すなわち、基準ポイント表示部２１ｂの機能により制御部２０は、基準ポイントの位置を表す画像を左周辺画像Ｎａ内および右周辺画像Ｎｂ内に表示する。ここで、基準ポイントの位置とは、左後写鏡４２ａおよび右後写鏡４２ｂのそれぞれ鏡面の中央においてユーザが視認しようと意図している左周辺画像Ｎａ内および右周辺画像Ｎｂ内の位置である。また、基準ポイントの位置はタッチパネル４４に対するユーザの操作に基づいて取得される。
【００２８】
図２Ｂ，２Ｃに示すように、左周辺画像Ｎａおよび右周辺画像Ｎｂのそれぞれにおいて、左基準ポイントＳａおよび右基準ポイントＳｂの位置を示す画像として、左共通範囲Ｃａ（ハッチング）および右共通範囲Ｃｂ（ハッチング）が表示されている。左共通範囲Ｃａ内および右共通範囲Ｃｂ内に左基準ポイントＳａおよび右基準ポイントＳｂが存在するため、ユーザは左基準ポイントＳａおよび右基準ポイントＳｂの位置を認識できる。なお、説明のため左基準ポイントＳａおよび右基準ポイントＳｂを黒丸で図示するが、当該黒丸は表示されてもよいし、表示されなくてもよい。
【００２９】
ここで、左共通範囲Ｃａおよび右共通範囲Ｃｂは、左基準ポイントＳａおよび右基準ポイントＳｂの位置が鏡面の中央にて視認できるように角度Ｔａ，Ｔｂが調整された左後写鏡４２ａおよび右後写鏡４２ｂを、視点位置Ｐの誤差範囲Ｅ内のいずれの位置から見た場合にも、共通して視認できる範囲である。すなわち、基準ポイント表示部２１ｂの機能により制御部２０は、左基準ポイントＳａおよび右基準ポイントＳｂの位置が中央にて視認できるように角度Ｔａ，Ｔｂが調整された左後写鏡４２ａおよび右後写鏡４２ｂを、視点位置Ｐの誤差範囲Ｅ内のいずれの位置から見た場合にも、共通して視認できる左共通範囲Ｃａおよび右共通範囲Ｃｂを左周辺画像Ｎａ内および右周辺画像Ｎｂ内にて表示する。
【００３０】
以下、左共通範囲Ｃａおよび右共通範囲Ｃｂの取得方法について説明する。左後写鏡４２ａおよび右後写鏡４２ｂそれぞれ鏡面の中央において視認できる位置は、視点位置Ｐと左後写鏡４２ａと右後写鏡４２ｂの角度Ｔａ，Ｔｂとに依存する。そのため、図３の後写鏡視野情報３０ｂにおいては、視点位置Ｐと左後写鏡４２ａと右後写鏡４２ｂの角度Ｔａ，Ｔｂとの組み合わせごとに、左後写鏡４２ａおよび右後写鏡４２ｂのそれぞれ鏡面の中央において視認できる左中央位置Ｇａおよび右中央位置Ｇｂが記録されている。なお、左中央位置Ｇａおよび右中央位置Ｇｂは、図２Ａに示すように、実際に左後写鏡４２ａおよび右後写鏡４２ｂ鏡面の中央において視認できる位置を調査することによって特定されてもよいし、左後写鏡視野Ｆａおよび右後写鏡視野Ｆｂの重心であってもよい。
【００３１】
まず、制御部２０は、視点位置Ｐと左基準ポイントＳａの位置とを取得する。そして、制御部２０は、運転席４７の形状に基づく視点位置Ｐに対応付けられている左中央位置Ｇａのうち最も左基準ポイントＳａの位置に近い左中央位置Ｇａが対応付けられている左後写鏡４２ａの角度Ｔａを取得する。図３において、視点位置Ｐ3に対応付けられている左中央位置Ｇａのうち左中央位置Ｇａ2-3が最も左基準ポイントＳａの位置に近くなっており、角度Ｔａ2が取得されていることとする。この角度Ｔａ2とは、左基準ポイントＳａの位置が中央にて視認できる左後写鏡４２ａの角度Ｔａを意味する。
【００３２】
次に、制御部２０は、視点位置Ｐ3を中心とする誤差範囲Ｅを設定し、当該誤差範囲Ｅ内に存在するすべての視点位置Ｐ1〜Ｐ5（図３の太線枠内）を取得する。そして、制御部２０は、左基準ポイントＳａの位置が中央にて視認できる左後写鏡４２ａの角度Ｔａ2および誤差範囲Ｅ内の視点位置Ｐ1〜Ｐ5の組み合わせに対応付けられている左後写鏡視野Ｆａ2-1〜Ｆａ2-5を取得する。さらに、制御部２０は、取得した左後写鏡視野Ｆａ2-1〜Ｆａ2-5のすべてを左周辺画像Ｎａ上にて重ね合わせ、すべての左後写鏡視野Ｆａ2-1〜Ｆａ2-5が重複する領域（ハッチング）を左共通範囲Ｃａとして取得する。以上により、左基準ポイントＳａの位置が中央にて視認できる角度Ｔａ2に調整された左後写鏡４２ａを、視点位置Ｐの誤差範囲Ｅ内のいずれの位置Ｐ1〜Ｐ5から見た場合にも、共通して視認できる左共通範囲Ｃａを取得できる。制御部２０は、右基準ポイントＳｂについても同様の処理を実行することにより、右共通範囲Ｃｂを取得できる。そして、図２Ｂ，２Ｃにてハッチングで示すように、制御部２０は、左共通範囲Ｃａおよび右共通範囲Ｃｂをそれぞれ左周辺画像Ｎａ内および右周辺画像Ｎｂ内に表示する。
【００３３】
なお、誤差範囲Ｅとは、運転席４７の状態が一定である場合において、ユーザの体型や姿勢や顔向き等に応じて変化し得る視点位置Ｐの範囲である。誤差範囲Ｅは、視点位置Ｐ3を中心とする３次元の立体内の範囲であればよく、視点位置Ｐ3を中心とする球体や立方体や直方体内の範囲であってもよい。むろん、誤差範囲Ｅ内の視点位置Ｐの数は５個に限られない。
【００３４】
さらに、基準ポイント表示部２１ｂの機能により制御部２０は、左基準ポイントＳａおよび右基準ポイントＳｂの位置が視認できるように角度Ｔａ，Ｔｂが調整された左後写鏡４２ａおよび右後写鏡４２ｂを見た場合に、左基準ポイントＳａおよび右基準ポイントＳｂの位置とともに視認できる範囲を示す左後写鏡視野Ｆａおよび右後写鏡視野Ｆｂを左周辺画像Ｎａ内および右周辺画像Ｎｂ内に表示する。具体的に、制御部２０は、後写鏡視野情報３０ｂにおいて、運転席４７の形状に基づく視点位置Ｐに対応付けられている左中央位置Ｇａのうち最も左基準ポイントＳａの位置に近い左中央位置Ｇａが対応付けられている左後写鏡４２ａの角度Ｔａを取得し、当該視点位置Ｐと当該角度Ｔａとに対応付けられている左後写鏡視野Ｆａ（図２Ｂの実線）を左周辺画像Ｎａ内に表示する。同様に、制御部２０は、運転席４７の形状に基づく視点位置Ｐに対応付けられている右中央位置Ｇｂのうち最も右基準ポイントＳｂの位置に近い右中央位置Ｇｂが対応付けられている右後写鏡４２ｂの角度Ｔｂを取得し、当該視点位置Ｐと当該角度Ｔｂとに対応付けられている右後写鏡視野Ｆｂ（図２Ｃの実線）を右周辺画像Ｎｂ内に表示する。なお、制御部２０は、左後写鏡視野Ｆａおよび右後写鏡視野Ｆｂを示す画像として、左後写鏡視野Ｆａおよび右後写鏡視野Ｆｂを所定の色で塗りつぶした画像を表示してもよい。
【００３５】
また、基準ポイント表示部２１ｂの機能により制御部２０は、左基準ポイントＳａおよび右基準ポイントＳｂの位置の仮決定操作を受け付けた場合に、左後写鏡視野Ｆａおよび右後写鏡視野Ｆｂを左周辺画像Ｎａ内および右周辺画像Ｎｂ内に表示する。すなわち、左後写鏡視野Ｆａおよび右後写鏡視野Ｆｂは、常に表示されるのではなく、左基準ポイントＳａおよび右基準ポイントＳｂの位置の仮決定操作がタッチパネル４４にて受け付けられた場合に表示される。本実施形態において、左基準ポイントＳａおよび右基準ポイントＳｂを移動させる移動操作がタッチパネル４４にて終了した場合に、制御部２０は、仮決定操作が行われたと見なす。すなわち、左基準ポイントＳａおよび右基準ポイントＳｂの移動操作のためにタッチパネル４４に接触していた指等がタッチパネル４４から離れた場合に、制御部２０は、仮決定操作が行われたと見なす。なお、制御部２０は、タッチパネル４４上に表示された所定の操作領域（ボタン）に指等が接触した場合に、仮決定操作が行われたと見なしてもよい。
【００３６】
角度設定部２１ｃは、左周辺画像Ｎａ内および右周辺画像Ｎｂ内における左基準ポイントＳａおよび右基準ポイントＳｂの位置をユーザの移動操作に応じて移動させ、移動後の左基準ポイントＳａおよび右基準ポイントＳｂの位置が左後写鏡４２ａおよび右後写鏡４２ｂによって視認できるように左後写鏡４２ａおよび右後写鏡４２ｂの角度Ｔａ，Ｔｂを設定する機能を制御部２０に実現させるプログラムモジュールである。本実施形態において、角度設定部２１ｃの機能により制御部２０は、タッチパネル４４上における左共通範囲Ｃａおよび右共通範囲Ｃｂのドラッグ・アンド・ドロップ操作を、ユーザの移動操作として受け付ける。制御部２０、左共通範囲Ｃａおよび右共通範囲Ｃｂに対するドラッグ・アンド・ドロップ操作が行われた場合に、当該指等の接触が開始したタッチパネル４４上の位置（ドラッグ位置）と、当該指等の接触が終了したタッチパネル４４上の位置（ドロップ位置）とを取得する。
【００３７】
そして、制御部２０は、ドラッグ位置からドロップ位置に向かう方向である操作方向と、ドラッグ位置からドロップ位置までの直線距離である操作量とを取得する。そして、制御部２０は、操作量に所定の単位移動量を乗じた距離だけ、移動前の左基準ポイントＳａおよび右基準ポイントＳｂの位置から操作方向へ移動した位置を移動後の左基準ポイントＳａおよび右基準ポイントＳｂの位置として取得する。
【００３８】
ここで、単位移動量は、ユーザがタッチパネル４４上にて指等をドラッグした距離である操作量の単位量（単位操作量）あたりに、左基準ポイントＳａおよび右基準ポイントＳｂが移動する距離を意味する。角度設定部２１ｃの機能により制御部２０は、仮決定操作を受け付ける前と後のいずれにおいても、左周辺画像Ｎａ内および右周辺画像Ｎｂ内における左基準ポイントＳａおよび右基準ポイントＳｂの位置を移動操作に応じて移動させるとともに、仮決定操作を受け付けた場合、移動操作の単位操作量に応じて左基準ポイントＳａおよび右基準ポイントＳｂが左周辺画像Ｎａ内および右周辺画像Ｎｂ内にて移動する単位移動量を減少させる。
【００３９】
具体的に、制御部２０は、仮決定操作を受け付ける前においては単位移動量を１に設定し、仮決定操作を受け付けた後においては単位移動量を１未満の所定値（例えば０．３）に設定する。例えばユーザがタッチパネル４４上にて指等をドラッグした距離である操作量が１０ｍｍであったとすると、左基準ポイントＳａおよび右基準ポイントＳｂの移動量は、仮決定操作を受け付ける前において１０ｍｍとなり、仮決定操作を受け付けた後において３ｍｍとなる。本実施形態においては、１回目の移動操作が終了した場合に、仮決定操作がなされたと見なされるため、２回目の移動操作において単位移動量が１未満の所定値に設定されることとなる。
【００４０】
移動後の左基準ポイントＳａおよび右基準ポイントＳｂの位置を取得すると、制御部２０は、移動後の左基準ポイントＳａおよび右基準ポイントＳｂの位置に応じて、左周辺画像Ｎａおよび右周辺画像Ｎｂを更新表示する。すなわち、周辺画像表示部２１ａの機能により制御部２０は、移動後の左基準ポイントＳａおよび右基準ポイントＳｂの位置に基づいて、左後写鏡視野Ｆａと右後写鏡視野Ｆｂと左共通範囲Ｃａと右共通範囲Ｃｂとを取得し、当該取得した左後写鏡視野Ｆａと右後写鏡視野Ｆｂと左共通範囲Ｃａと右共通範囲Ｃｂとを示す画像を左周辺画像Ｎａ内および右周辺画像Ｎｂ内に更新表示する。これにより、左周辺画像Ｎａ内および右周辺画像Ｎｂ内において、左基準ポイントＳａおよび右基準ポイントＳｂを示す画像（左共通範囲Ｃａおよび右共通範囲Ｃｂ）が移動することとなる。さらに、更新表示した左共通範囲Ｃａおよび右共通範囲Ｃｂに対するドラッグ・アンド・ドロップ操作が再度行われた場合、制御部２０は、左基準ポイントＳａおよび右基準ポイントＳｂの再度の移動操作（仮決定操作後の移動操作）を受け付ける。
【００４１】
さらに、角度設定部２１ｃの機能により制御部２０は、仮決定操作を受け付けた後において、左基準ポイントＳａおよび右基準ポイントＳｂを左周辺画像Ｎａおよび右周辺画像Ｎｂ外へと移動させる操作を受け付けた場合、左周辺画像Ｎａ内および右周辺画像Ｎｂ内における左基準ポイントＳａおよび右基準ポイントＳｂの位置を所定の基準位置に移動させるとともに、単位移動量を増加させる。すなわち、制御部２０は、仮決定操作後に左共通範囲Ｃａに対するドラッグ・アンド・ドロップ操作が受け付けられ、かつ、ドロップ位置が左周辺画像Ｎａ外である場合には、単位移動量を仮決定操作前の値（１）に戻し、左基準ポイントＳａを所定の基準位置に移動させる。同様に、制御部２０は、仮決定操作を受け付けた後に、右共通範囲Ｃｂに対するドラッグ・アンド・ドロップ操作が受け付けられ、かつ、ドロップ位置が右周辺画像Ｎｂ外である場合には、単位移動量を仮決定操作前の値（１）に戻し、右基準ポイントＳｂを所定の基準位置に移動させる。なお、制御部２０は、ドラッグ・アンド・ドロップ操作における指等の移動速度が閾値以上である場合（フリック操作を受け付けた場合）に、左基準ポイントＳａおよび右基準ポイントＳｂを左周辺画像Ｎａおよび右周辺画像Ｎｂ外へと移動させる操作を受け付けたと見なしてもよい。
【００４２】
本実施形態において、基準位置とは、移動操作が行われる前の左基準ポイントＳａおよび右基準ポイントＳｂの初期の位置を意味する。左基準ポイントＳａおよび右基準ポイントＳｂの初期の位置は、現在、左後写鏡４２ａおよび右後写鏡４２ｂ鏡面の中央にて実際に視認できる位置である。制御部２０は、後写鏡ＥＣＵ４０が実際に設定している左後写鏡４２ａおよび右後写鏡４２ｂの角度Ｔａ，Ｔｂと視点位置Ｐとを取得し、後写鏡視野情報３０ｂにおいて当該角度Ｔａ，Ｔｂと当該視点位置Ｐに対応付けられている中央位置Ｇａ，Ｇｂを、左基準ポイントＳａおよび右基準ポイントＳｂの基準位置として取得する。なお、周辺画像表示部２１ａの機能により制御部２０は、移動操作が行われる前、すなわち仮決定操作前において、左基準ポイントＳａおよび右基準ポイントＳｂの基準位置に基づいて、左共通範囲Ｃａおよび右共通範囲Ｃｂを取得し、当該左共通範囲Ｃａおよび右共通範囲Ｃｂを左周辺画像Ｎａ内および右周辺画像Ｎｂ内に表示する。
【００４３】
角度設定部２１ｃの機能により制御部２０は、移動後の左基準ポイントＳａおよび右基準ポイントＳｂの位置、および、ユーザの視点位置Ｐに応じて左後写鏡４２ａおよび右後写鏡４２ｂの角度Ｔａ，Ｔｂを後写鏡ＥＣＵ４０に設定する。具体的に、制御部２０は、左基準ポイントＳａおよび右基準ポイントＳｂの位置の確定操作が行われた場合に、左基準ポイントＳａおよび右基準ポイントＳｂの位置（移動後の位置、または、基準位置）と、運転席４７の状態に基づく視点位置Ｐとを取得する。そして、制御部２０は、後写鏡視野情報３０ｂにおいて、視点位置Ｐに対応付けられている左中央位置Ｇａのうち最も左基準ポイントＳａの位置に近い左中央位置Ｇａが対応付けられている左後写鏡４２ａの角度Ｔａを取得し、当該角度Ｔａを後写鏡ＥＣＵ４０に設定する。同様に、制御部２０は、後写鏡視野情報３０ｂにおいて、視点位置Ｐに対応付けられている右中央位置Ｇｂのうち最も右基準ポイントＳｂの位置に近い右中央位置Ｇｂが対応付けられている右後写鏡４２ｂの角度Ｔｂを取得し、当該角度Ｔｂを後写鏡ＥＣＵ４０に設定する。これにより、左基準ポイントＳａおよび右基準ポイントＳｂの位置に対応する実空間内の位置が、左後写鏡４２ａおよび右後写鏡４２ｂ鏡面の中央付近にて視認可能となる。
【００４４】
本実施形態において、所定のタイムアウト期間（例えば１０秒）以上、移動操作が受け付けられなかった場合に、制御部２０は、左基準ポイントＳａおよび右基準ポイントＳｂの位置の確定操作が行われたと見なす。なお、制御部２０は、タッチパネル４４上に表示された所定の操作領域（ボタン）に指等が接触した場合に、決定操作が行われたと見なしてもよい。
【００４５】
以上説明した本実施形態において、ユーザは、移動操作を行うことによって左基準ポイントＳａおよび右基準ポイントＳｂの位置を任意に調整でき、当該左基準ポイントＳａおよび右基準ポイントＳｂの位置が視認できるように左後写鏡４２ａおよび右後写鏡４２ｂの角度Ｔａ，Ｔｂを設定できる。すなわち、ユーザの好みの位置を視認できるように左後写鏡４２ａおよび右後写鏡４２ｂの角度Ｔａ，Ｔｂを設定できる。
【００４６】
また、左周辺画像Ｎａ内および右周辺画像Ｎｂ内において左可視領域Ｖａおよび右可視領域Ｖｂを識別する画像を表示することにより、ユーザは、左後写鏡４２ａおよび右後写鏡４２ｂの角度Ｔａ，Ｔｂを変化させることにより視認可能な領域を左周辺画像Ｎａ内および右周辺画像Ｎｂにて確認できる。従って、ユーザは、左可視領域Ｖａおよび右可視領域Ｖｂ内にて左基準ポイントＳａおよび右基準ポイントＳｂの位置を調整できる。すなわち、そもそも視認することができない位置に左基準ポイントＳａおよび右基準ポイントＳｂを移動させようとすることを防止できる。
【００４７】
また、左後写鏡視野Ｆａおよび右後写鏡視野Ｆｂが左周辺画像Ｎａ内および右周辺画像Ｎｂ内に表示されるため、左基準ポイントＳａおよび右基準ポイントＳｂの位置が視認できるように角度Ｔａ，Ｔｂを調整した場合に、左基準ポイントＳａおよび右基準ポイントＳｂの位置と同時に左後写鏡４２ａおよび右後写鏡４２ｂにて視認できる左基準ポイントＳａおよび右基準ポイントＳｂの周辺の領域を確認できる。例えば、左基準ポイントＳａおよび右基準ポイントＳｂの位置に応じて左後写鏡４２ａおよび右後写鏡４２ｂにて視認できる領域の大きさが変化する場合、左後写鏡視野Ｆａおよび右後写鏡視野Ｆｂの大きさを確認することによって左基準ポイントＳａおよび右基準ポイントＳｂとともに視認できる領域の大きさを確認できる。
【００４８】
また、本実施形態において、左基準ポイントＳａおよび右基準ポイントＳｂの位置の仮決定操作を受け付けた場合に、左後写鏡視野Ｆａおよび右後写鏡視野Ｆｂを表示している。これにより、仮決定操作をする前は左後写鏡視野Ｆａおよび右後写鏡視野Ｆｂの表示を省略し、左周辺画像Ｎａ内および右周辺画像Ｎｂ内における表示物をシンプルにすることができ、左基準ポイントＳａおよび右基準ポイントＳｂを左周辺画像Ｎａ内および右周辺画像Ｎｂ内の目標の位置に移動させやすくすることができる。
【００４９】
また、仮決定操作をした後において、単位移動量を小さくすることにより、左基準ポイントＳａおよび右基準ポイントＳｂの位置を微調整することができる。従って、ユーザは、仮決定操作をする前に狙いの位置の周辺まで左基準ポイントＳａおよび右基準ポイントＳｂを移動させておき、仮決定操作をした後に狙いの位置まで正確に左基準ポイントＳａおよび右基準ポイントＳｂを移動させることができる。
【００５０】
仮決定操作を受け付けた後において、左基準ポイントＳａおよび右基準ポイントＳｂを左周辺画像Ｎａおよび右周辺画像Ｎｂ外へと移動させる操作を受け付けた場合、単位移動量を増加させることにより、仮決定操作の後に左基準ポイントＳａおよび右基準ポイントＳｂの位置の微調整ができる状態を解除して、大きく左基準ポイントＳａおよび右基準ポイントＳｂを移動させることができる。また、左基準ポイントＳａおよび右基準ポイントＳｂを左周辺画像Ｎａおよび右周辺画像Ｎｂ外へと移動させる操作を受け付けた場合に、左基準ポイントＳａおよび右基準ポイントＳｂの位置を基準位置に移動させることより、左基準ポイントＳａおよび右基準ポイントＳｂの移動を基準位置からやり直すことができる。左基準ポイントＳａおよび右基準ポイントＳｂを左周辺画像Ｎａおよび右周辺画像Ｎｂ外へと移動させる操作は、微調整をやめて大きく左基準ポイントＳａおよび右基準ポイントＳｂを動かしたいというユーザの意思の表れであり、ユーザは直感的な操作によって左基準ポイントＳａおよび右基準ポイントＳｂの微調整ができる状態を解除できる。
【００５１】
上述のように、左基準ポイントＳａおよび右基準ポイントＳｂの位置が視認できる左後写鏡４２ａおよび右後写鏡４２ｂの角度Ｔａ，Ｔｂは、ユーザの視点位置Ｐにも依存する。従って、移動後の左基準ポイントＳａおよび右基準ポイントＳｂの位置、および、ユーザの視点位置Ｐに応じて左後写鏡４２ａおよび右後写鏡４２ｂの角度Ｔａ，Ｔｂを設定することにより、正確に左後写鏡４２ａおよび右後写鏡４２ｂの角度Ｔａ，Ｔｂを設定できる。
【００５２】
また、ユーザが着座する運転席４７の状態に基づいて視点位置Ｐを取得することにより、運転時の視点位置Ｐとして適切な位置を取得できる。ユーザは左基準ポイントＳａおよび右基準ポイントＳｂを移動させるためにタッチパネル４４を視認している可能性が大きいため、例えばセンサによってユーザの目の位置や顔向きを検出しても、前方を視認している運転時の視点位置Ｐとして適切な位置を検出できない。
【００５３】
さらに、左基準ポイントＳａおよび右基準ポイントＳｂの位置が視認できるように角度Ｔａ，Ｔｂが調整された左後写鏡４２ａおよび右後写鏡４２ｂを、視点位置Ｐの誤差範囲Ｅ内のいずれの位置から見た場合にも、共通して視認できる共通範囲Ｃａ，Ｃｂを左周辺画像Ｎａ内および右周辺画像Ｎｂ内に表示することにより、誤差範囲Ｅ内で視点位置Ｐがずれたとしても視認可能な範囲を認識できる。
【００５４】
（２）後写鏡角度設定処理：
次に、制御部２０が実行する後写鏡角度設定処理を詳細に説明する。図４は、後写鏡角度設定処理のフローチャートである。まず、制御部２０は、タッチパネル４４上に表示された後写鏡角度設定ボタンに対する指等の接触操作を受け付ける（ステップＳ１００）。本実施形態では、左後写鏡４２ａおよび右後写鏡４２ｂのそれぞれについて後写鏡角度設定ボタンが設けられており、角度Ｔａ，Ｔｂを設定したい左後写鏡４２ａまたは右後写鏡４２ｂを選択できる。以下、後写鏡角度設定処理の説明において、左後写鏡４２ａの角度Ｔａを設定するための後写鏡角度設定ボタンが操作されたこととする。
【００５５】
次に、周辺画像表示部２１ａの機能により制御部２０は、左周辺画像Ｎａをタッチパネル４４に表示させる（ステップＳ１０５）。すなわち、制御部２０は、角度Ｔａが可変の左後写鏡４２ａによって視認可能な左可視領域Ｖａを含む左周辺画像Ｎａを表示する（図２Ｂ）。
【００５６】
次に、制御部２０は、ユーザの視点位置Ｐを取得する（ステップＳ１１０）。具体的に、制御部２０は、現在調整されている運転席４７全体の状態（前後位置と座面部の高さと背もたれ部の傾斜角度等）を示す信号を、シートＥＣＵ４５から取得し、当該信号に基づいて運転席４７に着座するユーザの視点位置Ｐを取得する。
【００５７】
次に、周辺画像表示部２１ａの機能により制御部２０は、左周辺画像Ｎａ内において左可視領域Ｖａを識別する画像を表示する（ステップＳ１１５）。まず、制御部２０は、左後写鏡４２ａをあらゆる角度Ｔａに変化させた場合に、視点位置Ｐから視認できる範囲を左可視領域Ｖａとして取得する。具体的に、制御部２０は、後写鏡視野情報３０ｂにおいて視点位置Ｐに対応付けられているすべての左後写鏡視野Ｆａを取得する。そして、制御部２０は、視点位置Ｐに対応付けられているすべての左後写鏡視野Ｆａを左周辺画像Ｎａ上にて重ね合わせ、少なくとも１個の左後写鏡視野Ｆａによってカバーされている領域を左可視領域Ｖａとして取得する。そして、制御部２０は、図２Ｂにて破線で示すように、左可視領域Ｖａを他の領域から識別する境界線を左周辺画像Ｎａ内に表示する。
【００５８】
角度設定部２１ｃの機能により制御部２０は、左基準ポイントＳａの位置を基準位置（初期の位置）にリセットする（ステップＳ１２０）。基準位置は、現在、視点位置Ｐから左後写鏡４２ａを見た場合に、左後写鏡４２ａ鏡面の中央にて実際に視認できる位置である。制御部２０は、後写鏡ＥＣＵ４０が実際に設定している左後写鏡４２ａの角度Ｔａと視点位置Ｐとを取得し、後写鏡視野情報３０ｂにおいて当該角度Ｔａと当該視点位置Ｐに対応付けられている左中央位置Ｇａを、左基準ポイントＳａの基準位置として取得する。
【００５９】
次に、角度設定部２１ｃの機能により制御部２０は、単位移動量を仮決定操作前の値（＞仮決定操作後の値）にリセットする（ステップＳ１２２）。ここで、単位移動量とは、ユーザがタッチパネル４４上にて指等をドラッグした距離である操作量の単位量（単位操作量）あたりに、左基準ポイントＳａが移動する距離を意味する。単位移動量として仮決定操作後の値（０．３）が設定されていた場合、ステップＳ１２２において単位移動量を仮決定操作前の値（１）にリセットすることは、単位移動量を増加させることを意味する。
【００６０】
次に、基準ポイント表示部２１ｂの機能により制御部２０は、左周辺画像Ｎａ内に左共通範囲Ｃａを表示する。具体的に、制御部２０は、現在の左基準ポイントＳａの位置が中央にて視認できる左後写鏡４２ａの角度Ｔａを取得するとともに、視点位置Ｐを中心とする誤差範囲Ｅ内のすべての視点位置Ｐを取得する。そして、制御部２０は、後写鏡視野情報３０ｂにおいて、現在の左基準ポイントＳａの位置が中央にて視認できる左後写鏡４２ａの角度Ｔａと、誤差範囲Ｅ内のすべての視点位置Ｐとの組み合わせに対応付けられているすべての左後写鏡視野Ｆａを取得し、当該取得したすべての左後写鏡視野Ｆａのすべてが重複する左周辺画像Ｎａ内の領域を左共通範囲Ｃａとして取得する。そして、図２Ｂにてハッチングで示すように、制御部２０は、左共通範囲Ｃａを左周辺画像Ｎａ内に表示する。
【００６１】
次に、角度設定部２１ｃの機能により制御部２０は、タッチパネル４４における操作を監視する（ステップＳ１３０）。具体的に、制御部２０は、タッチパネル４４における左基準ポイントＳａの移動操作、すなわち左共通範囲Ｃａに対するドラッグ・アンド・ドロップ操作を監視する。
【００６２】
角度設定部２１ｃの機能により制御部２０は、左基準ポイントＳａの移動操作を受け付けられたか否かを判定する（ステップＳ１３０）。本実施形態において、制御部２０は、左共通範囲Ｃａに対するドラッグ・アンド・ドロップ操作が所定のタイムアウト期間以上受け付けられなかった場合、左基準ポイントＳａの移動操作が受け付けられたと判定しない。なお、左基準ポイントＳａの移動操作が受け付けたと判定されなかった場合（ステップＳ１３５：Ｎ）、制御部２０は、左基準ポイントＳａの確定操作が行われたと見なす。タイムアウト期間の始期は、ステップＳ１０５にて左周辺画像Ｎａの表示を開始した時刻と、最後に受け付けた左基準ポイントＳａの移動操作の終了時刻とのうち、遅い方である。すなわち、左周辺画像Ｎａを表示してから左基準ポイントＳａの移動操作をタイムアウト期間以上しなかった場合、または、最後に左基準ポイントＳａの移動操作をしてから次の移動操作をタイムアウト期間以上しなかった場合、制御部２０は、現在の位置で左基準ポイントＳａの位置を確定するための確定操作を受け付ける。
【００６３】
左基準ポイントＳａの移動操作が受け付けられたと判定されなかった場合（ステップＳ１３５：Ｎ）、すなわち左基準ポイントＳａの確定操作が行われた場合、制御部２０は、左基準ポイントＳａの位置に対応する左後写鏡４２ａの角度Ｔａを後写鏡ＥＣＵ４０に設定する（ステップＳ１６５）。具体的に、制御部２０は、確定操作が行われた時点の左基準ポイントＳａの位置（移動後の位置、または、基準位置）と、運転席４７の状態に基づく視点位置Ｐとを取得する。そして、制御部２０は、後写鏡視野情報３０ｂにおいて、視点位置Ｐに対応付けられている左中央位置Ｇａのうち最も左基準ポイントＳａの位置に近い左中央位置Ｇａが対応付けられている左後写鏡４２ａの角度Ｔａを取得し、当該角度Ｔａを後写鏡ＥＣＵ４０に設定する。これにより、確定操作が行われた時点の左基準ポイントＳａの位置に対応する実空間内の位置が、左後写鏡４２ａ鏡面の中央付近にて視認可能となる。
【００６４】
一方、左基準ポイントＳａの移動操作が受け付けられたと判定された場合（ステップＳ１３５：Ｙ）、角度設定部２１ｃの機能により制御部２０は、当該移動操作が左周辺画像Ｎａ内に左基準ポイントＳａを移動させる操作であったか否かを判定する（ステップＳ１４０）。左基準ポイントＳａの移動操作が受け付けられたと判定された場合とは、タイムアウト期間以内に左基準ポイントＳａの移動操作が受け付けられた場合である。ステップＳ１３５において、制御部２０は、左基準ポイントＳａの移動操作におけるドロップ位置を取得し、当該ドロップ位置が左周辺画像Ｎａ内であった場合、当該移動操作が左周辺画像Ｎａ内に左基準ポイントＳａを移動させる操作であったと判定する。
【００６５】
左基準ポイントＳａの移動操作が左周辺画像Ｎａ内に左基準ポイントＳａを移動させる操作であったと判定されなかった場合（ステップＳ１４０：Ｎ）、制御部２０は、ステップＳ１２０に戻る。すなわち、制御部２０は、左周辺画像Ｎａ外に左基準ポイントＳａを移動させる移動操作が受け付けられた場合、左基準ポイントＳａの位置を初期の基準位置にリセットし（ステップＳ１２０）、単位移動量を仮決定操作前の値（１）にリセットする（ステップＳ１２２）。すなわち、これまでの移動操作による左基準ポイントＳａの移動をキャンセルするとともに、仮決定操作前の値に単位移動量を戻す。
【００６６】
左基準ポイントＳａの移動操作が左周辺画像Ｎａ内に左基準ポイントＳａを移動させる操作であったと判定された場合（ステップＳ１４０：Ｙ）、角度設定部２１ｃの機能により制御部２０は、移動後の基準ポイントの位置を取得する（ステップＳ１４５）。具体的に、制御部２０は、移動操作におけるドラッグ位置からドロップ位置に向かう方向である操作方向と、ドラッグ位置からドロップ位置までの直線距離である操作量とを取得する。そして、制御部２０は、操作量に単位移動量（仮決定操作前の値または仮決定操作後の値）を乗じた距離だけ、移動前の左基準ポイントＳａの位置から操作方向へ移動した位置を移動後の左基準ポイントＳａの位置として取得する。なお、左周辺画像Ｎａ内に左基準ポイントＳａを移動させる移動操作が受け付けられることは（ステップＳ１４０：Ｙ）、左基準ポイントＳａの仮決定操作が受け付けられたとを意味する。
【００６７】
次に、基準ポイント表示部２１ｂの機能により制御部２０は、左共通範囲Ｃａ（左基準ポイントＳａ）の表示を更新する（ステップＳ１５０）。すなわち、制御部２０は、ステップＳ１２５と同様の手法によって、移動後の左基準ポイントＳａの位置に基づいて左共通範囲Ｃａを取得し、当該左共通範囲Ｃａを示す画像を左周辺画像Ｎａ内に表示させる。
【００６８】
さらに、基準ポイント表示部２１ｂの機能により制御部２０は、左後写鏡視野Ｆａを左周辺画像Ｎａ内に表示する（ステップＳ１５５）。すなわち、制御部２０は、左基準ポイントＳａの仮決定操作が受け付けられた場合に（ステップＳ１４０：Ｙ）、左後写鏡視野Ｆａを左周辺画像Ｎａ内に表示する（図２Ｂの実線）。左後写鏡視野Ｆａとは、左基準ポイントＳａが視認できるように角度Ｔａが調整された左後写鏡４２ａを見た場合に、左基準ポイントＳａの位置とともに視認できる範囲を意味する。具体的に、制御部２０は、後写鏡視野情報３０ｂにおいて、運転席４７の形状に基づく視点位置Ｐに対応付けられている左中央位置Ｇａのうち最も左基準ポイントＳａの位置に近い左中央位置Ｇａが対応付けられている左後写鏡４２ａの角度Ｔａを取得し、当該視点位置Ｐと当該角度Ｔａとに対応付けられている左後写鏡視野Ｆａを左周辺画像Ｎａ内に表示する。なお、左後写鏡４２ａがすでに表示されている場合、すなわち２回以上連続して左周辺画像Ｎａ内における左基準ポイントＳａの移動操作が受け付けられた場合には、左周辺画像Ｎａ内において左後写鏡視野Ｆａが更新されることとなる。
【００６９】
次に、角度設定部２１ｃの機能により制御部２０は、単位移動量を仮決定操作後の値（＜仮決定操作前の値）に設定する（ステップＳ１６０）。ここで、単位移動量として仮決定操作前の値（１）が設定されていた場合、ステップＳ１６０において制御部２０が単位移動量を仮決定操作後の値（０．３）に設定することは、単位移動量を減少させることを意味する。単位移動量を仮決定操作後の値に設定すると、制御部２０は、ステップＳ１３０に戻る。すなわち、タッチパネル４４における左基準ポイントＳａの移動操作を再び監視する。
【００７０】
以上説明したように、仮決定操作が受け付けられた場合（ステップＳ１４０：Ｙ）、単位移動量が仮決定操作後の値に設定されることとなる（ステップＳ１６０）。従って、ステップＳ１３０に戻って、再度、左基準ポイントＳａの移動操作を受け付けた場合には、単位移動量として仮決定操作後の値（＜仮決定操作前の値）が適用されるため、左基準ポイントＳａの移動操作におけるドラッグの距離に対応して移動する左基準ポイントＳａの移動距離を小さくすることができる。従って、仮決定操作後においては、左基準ポイントＳａの位置を微調整することができる。ただし、仮決定操作後であっても、左周辺画像Ｎａ外にへと左基準ポイントＳａを移動させる移動操作が受け付けられた場合には（ステップＳ１４０：Ｎ）、単位移動量が仮決定操作前の値にリセットされることとなる（ステップＳ１２２）。従って、左基準ポイントＳａの位置を微調整する状態を解除し、左基準ポイントＳａを大きく移動させることができる。また、左基準ポイントＳａの位置を微調整する状態を解除すると同時に左基準ポイントＳａの位置が基準位置にリセットされるため（ステップＳ１２０）、左基準ポイントＳａの移動を初期の位置からやり直すことができる。
【００７１】
以上においては、左後写鏡４２ａの角度Ｔａを設定するための後写鏡角度設定ボタンが操作された場合の後写鏡角度設定処理を説明したが、右後写鏡４２ｂの角度Ｔｂを設定するための後写鏡角度設定ボタンが操作された場合の後写鏡角度設定処理も同様である。
すなわち、ステップＳ１０５〜Ｓ１６５の各処理の説明において、左後写鏡４２ａを右後写鏡４２ｂへと読み替え、左後写鏡４２ａを右後写鏡４２ｂへと読み替え、左後写鏡４２ａの角度Ｔａを右後写鏡４２ｂの角度Ｔｂへと読み替え、左周辺画像Ｎａを右周辺画像Ｎｂへと読み替え、左共通範囲Ｃａを右共通範囲Ｃｂへと読み替え、左後写鏡視野Ｆａを右後写鏡視野Ｆｂへと読み替えることにより、右後写鏡４２ｂの角度Ｔｂを設定するための後写鏡角度設定ボタンが操作された場合の後写鏡角度設定処理も説明できる。
【００７２】
（３）他の実施形態：
基準ポイント表示部２１ｂの機能により制御部２０は、周辺画像内における基準ポイントの位置が車両から離れるほど、基準ポイントの大きさを小さく表示してもよい。例えば、制御部２０は、左基準ポイントＳａの位置が可視領域Ｖａの右端から離れるほど小さくなる縮小倍率（０以上かつ１以下）を設定し、当該縮小倍率でサイズ変換した左共通範囲Ｃａを左周辺画像Ｎａ内に表示してもよい。これにより、車両Ｚから離れた位置が見えるように左後写鏡４２ａおよび右後写鏡４２ｂの角度Ｔａ，Ｔｂを設定するほど、左後写鏡４２ａおよび右後写鏡４２ｂによって視認できる領域が小さくなるような印象を与え、車両Ｚから離れ過ぎた位置に左基準ポイントＳａおよび右基準ポイントＳｂが設定されることを防止できる。
【００７３】
前記実施形態では、左後写鏡４２ａおよび右後写鏡４２ｂの角度Ｔａ，Ｔｂが設定可能な構成を説明したが、左後写鏡４２ａおよび右後写鏡４２ｂの角度Ｔａ，Ｔｂのうち一方のみが設定可能であってもよい。また、制御部２０は、周辺画像内に少なくとも基準ポイントを表示すればよく、必ずしも共通範囲Ｃａ，Ｃｂや可視領域Ｖａ，Ｖｂや後写鏡視野Ｆａ，Ｆｂを識別可能に周辺画像内に表示しなくてもよい。また、制御部２０は、可視領域Ｖａ，Ｖｂの双方を含む単一の画像を周辺画像として表示してもよい。例えば、車両Ｚの左右の中央の位置から広角視野にて後方を見た画像を撮影または描画することにより、制御部２０は、可視領域Ｖａ，Ｖｂの双方を含む単一の周辺画像を取得してもよい。また、制御部２０は、仮決定操作を受け付ける前においても、後写鏡視野Ｆａ，Ｆｂを表示してもよい。
【００７４】
さらに、制御部２０は、少なくとも１回の移動操作に応じて後写鏡の角度を設定すればよく、必ずしも仮決定操作や確定操作を受け付けなくてもよい。また、制御部２０は、基準ポイントＳａ，Ｓｂを周辺画像外へと移動させる操作を無効な操作として無視してもよい。さらに、前記実施形態で挙げたタッチパネル４４に対する操作は一例に過ぎず、例えばタッチパネル４４に対するダブルタップやピンチ操作に応じて後写鏡角度設定処理を実行してもよい。むろん、基準ポイントＳａ，Ｓｂの移動操作はマウスカーソルの移動等によって行われてもよい。また、仮決定操作を受け付けた場合に、制御部２０は、単位移動量を減少させないようにしてもよい。すなわち、仮決定操作後に微調整ができない構成を採用してもよい。
【００７５】
さらに、制御部２０は、基準ポイントＳａ，Ｓｂを周辺画像外へと移動させる操作を受け付けた場合、基準ポイントＳａ，Ｓｂを基準位置に戻す一方で、単位移動量を増加させないようにしてもよい。反対に、制御部２０は、基準ポイントＳａ，Ｓｂを周辺画像外へと移動させる操作を受け付けた場合、単位移動量を増加させる一方で、基準ポイントＳａ，Ｓｂを基準位置に戻さないようにしてもよい。さらに、制御部２０は、例えばリセットボタンをタッチパネル４４に表示させ、当該リセットボタンに指等が接触した場合に、基準ポイントＳａ，Ｓｂを基準位置に戻したり、単位移動量を増加させたりしてもよい。
【００７６】
また、制御部２０は、少なくとも基準ポイントＳａ，Ｓｂの位置に基づいて左後写鏡４２ａおよび右後写鏡４２ｂの角度Ｔａ，Ｔｂを設定すればよく、必ずしもユーザの視点位置Ｐに基づいて左後写鏡４２ａおよび右後写鏡４２ｂの角度Ｔａ，Ｔｂを設定しなくてもよい。あらゆる運転席４７の状態のうち平均的な状態におけるユーザの視点位置Ｐについてのみ、左後写鏡４２ａおよび右後写鏡４２ｂの角度Ｔａ，Ｔｂと後写鏡視野Ｆａ，Ｆｂとの関係が規定された後写鏡視野情報３０ｂが用意されてもよい。同様に、制御部２０は、必ずしも共通範囲Ｃａ，Ｃｂや可視領域Ｖａ，Ｖｂや後写鏡視野Ｆａ，Ｆｂをユーザの視点位置Ｐに依存させなくてもよい。例えば、制御部２０は、あらゆる運転席４７の状態のうち平均的な状態におけるユーザの視点位置Ｐに基づいて、共通範囲Ｃａ，Ｃｂや可視領域Ｖａ，Ｖｂや後写鏡視野Ｆａ，Ｆｂを取得してもよい。これにより、共通範囲Ｃａ，Ｃｂや可視領域Ｖａ，Ｖｂや後写鏡視野Ｆａ，Ｆｂを取得するための処理負荷を軽減できる。
【００７７】
また、ユーザの視点位置Ｐは、必ずしもユーザが着座する座席の状態に基づいて取得されなくてもよい。例えば、制御部２０は、ユーザの視点位置Ｐを指定するためのユーザの操作に基づいてユーザの視点位置Ｐを取得してもよいし、運転時のユーザの視点位置Ｐを検出するセンサの信号に基づいてユーザの視点位置Ｐを取得してもよい。
【００７８】
以上の実施形態は本発明を実施するための一例であり、他にも種々の実施形態を採用可能である。後写鏡とは、車両に備えられ鏡面の角度が可変な鏡であればよく、バックミラーと呼ばれるインナー・リア・ビュー・ミラーであってもよいし、フェンダーミラーやドアミラーやサイドミラーと呼ばれるアウター・リア・ビュー・ミラーであってもよい。可視領域は、後写鏡の角度を可動範囲内にて変化させた場合に、周辺画像内にて視認し得る領域である。可視領域は、可動範囲内にて後写鏡の角度を実際に変化させ、その際に視認できる領域を調査することにより特定されてもよいし、可動範囲内にて後写鏡の角度を変化させた場合に、後写鏡にて反射してユーザの視点位置に到達する光の光源の位置を予測することにより特定されてもよい。
【００７９】
周辺画像表示手段は、可視領域を含む車両の周辺画像を表示部に表示させればよく、可視領域を視野内に含むカメラにて撮影された画像を周辺画像として表示してもよいし、可視領域を視野内に含むように描画された画像を周辺画像として表示してもよい。周辺画像は、現在における車両の周辺画像であってもよいし、将来における車両の周辺画像であってもよい。例えば、車両の走行予定経路が探索されている場合、周辺画像は、当該走行予定経路上を走行する車両の周辺画像であってもよい。さらに、周辺画像には、後写鏡にて確認をしておく必要がある車両の障害物の画像が含まれてもよい。基準ポイント表示手段は、周辺画像内に基準ポイントを表示させればよく、周辺画像内に基準ポイントの位置が認識可能な画像を表示させればよい。
【００８０】
角度設定手段は、周辺画像内における基準ポイントの位置をユーザの移動操作に応じて移動させればよく、移動操作の操作態様は種々考えられる。例えば、角度設定手段は、タッチパネルに表示された基準ポイントに対するドラッグ・アンド・ドロップ操作やフリック操作を移動操作として受け付けてもよい。また、基準ポイントを各方向に移動させるための操作部を用意しておき、当該操作部が操作された場合に、当該操作部に対応する方向への移動操作を受け付けてもよい。また、角度設定手段は、基準ポイントの位置ごとに、当該基準ポイントが視認できるようになる後写鏡の角度を規定したテーブルを用意しておき、当該テーブルを参照することにより、後写鏡の角度を設定してもよい。また、角度設定手段は、基準ポイントの位置から後写鏡に向かう光線が後写鏡にて反射してユーザの視点位置に到達するようになる後写鏡の角度を算出し、当該算出した角度を後写鏡の角度に設定してもよい。
【００８１】
また、周辺画像表示手段は、周辺画像内において可視領域と当該可視領域外とを識別する画像を表示してもよい。これにより、ユーザは、後写鏡によって視認可能な可視領域を周辺画像にて確認できるため、可視領域内にて基準ポイントの位置を調整できる。すなわち、そもそも視認することができない位置に基準ポイントを移動させようとすることを防止できる。可視領域と当該可視領域外とを識別する画像とは、可視領域と当該可視領域外との境界線を表す画像であってもよいし、可視領域と当該可視領域外とを異なる色で着色した半透明の画像であってもよい。
【００８２】
さらに、基準ポイント表示手段は、基準ポイントの位置が視認できるように角度が調整された後写鏡を見た場合に、基準ポイントの位置とともに視認できる範囲を示す後写鏡視野を周辺画像内に表示してもよい。これにより、基準ポイントの位置が視認できるように角度を調整した場合に、基準ポイントの位置と同時に後写鏡にて視認できる基準ポイントの周辺の領域を後写鏡視野によって確認できる。例えば、基準ポイントの位置に応じて後写鏡にて視認できる領域の大きさが変化する場合、後写鏡視野の大きさを確認することによって基準ポイントとともに視認できる領域の大きさを確認できる。後写鏡視野は、後写鏡によって視認できる範囲が視認可能な画像であればよく、後写鏡によって視認できる範囲の外縁を示す線であってもよいし、後写鏡によって視認できる範囲全体を着色した半透明の画像であってもよい。
【００８３】
また、基準ポイント表示手段は、基準ポイントの位置の仮決定操作を受け付けた場合に、後写鏡視野を周辺画像内に表示してもよい。これにより、仮決定操作をする前は後写鏡視野の表示を省略し、周辺画像内における表示物をシンプルにすることができ、基準ポイントを周辺画像内の目標の位置に移動させやすくすることができる。仮決定操作とは、概ねユーザが満足する位置に基準ポイントが移動した場合になされる操作である。基準ポイント表示手段は、仮決定操作を受け付けるための操作部を設け、当該操作部に対するユーザの操作を検出した場合に仮決定操作を受け付けてもよい。また、基準ポイント表示手段は、基準ポイントの移動操作が終了したことをもって、仮決定操作を受け付けてもよい。
【００８４】
さらに、角度設定手段は、仮決定操作を受け付ける前と後のいずれにおいても、周辺画像内における基準ポイントの位置を移動操作に応じて移動させるとともに、仮決定操作を受け付けた場合、移動操作の単位操作量に応じて基準ポイントが周辺画像内にて移動する単位移動量を減少させてもよい。このように、仮決定操作をした後において、単位移動量を小さくすることにより、基準ポイントの位置を微調整することができる。従って、ユーザは、仮決定操作をする前に狙いの位置の周辺まで基準ポイントを移動させておき、仮決定操作をした後に狙いの位置まで正確に基準ポイントを移動させることができる。移動操作がドラッグ・アンド・ドロップ操作である場合、ドラッグした距離を移動操作の操作量として取得してもよい。また、移動操作がフリック操作である場合、フリックの速度を移動操作の操作量として取得してもよい。
【００８５】
さらに、角度設定手段は、仮決定操作を受け付けた後において、基準ポイントを周辺画像外へと移動させる操作を受け付けた場合、周辺画像内における基準ポイントの位置を所定の基準位置に移動させるとともに、単位移動量を増加させてもよい。移動操作の単位操作量に応じて基準ポイントが周辺画像内にて移動する単位移動量を増加させることにより、仮決定操作の後に基準ポイントの位置の微調整ができる状態を解除して、大きく基準ポイントを移動させることができる。また、基準ポイントの位置を基準位置に移動させることより、基準ポイントの移動を基準位置からやり直すことができる。基準ポイントを周辺画像外へと移動させる操作は、微調整をやめて大きく基準ポイントを動かしたいというユーザの意思の表れであり、ユーザは直感的な操作によって基準ポイントの微調整ができる状態を解除できる。
【００８６】
また、基準ポイント表示手段は、周辺画像内における基準ポイントの位置が車両から離れるほど、基準ポイントの大きさを小さく表示してもよい。これにより、車両（後写鏡）から離れた位置が見えるように後写鏡の角度を設定するほど、後写鏡によって視認できる領域が小さくなるような印象を与え、車両（後写鏡）から離れ過ぎた位置に基準ポイントが設定されることを防止できる。
【００８７】
さらに、角度設定手段は、移動後の基準ポイントの位置、および、ユーザの視点位置に応じて後写鏡の角度を設定してもよい。ここで、基準ポイントの位置が視認できる後写鏡の角度は、ユーザの視点位置にも依存する。従って、移動後の基準ポイントの位置、および、ユーザの視点位置に応じて後写鏡の角度を設定することにより、正確に後写鏡の角度を設定できる。
【００８８】
また、視点位置は、ユーザが着座するシートの状態に基づいて取得されてもよい。このように、ユーザが着座するシートの状態に基づいて視点位置を取得することにより、運転時の視点位置として適切な位置を取得できる。ユーザは基準ポイントを移動させるために表示部を視認している可能性が大きいため、例えばセンサによってユーザの目の位置や顔向きを検出しても、運転時の視点位置として適切な位置を検出できない。
【００８９】
さらに、基準ポイント表示手段は、基準ポイントの位置が視認できるように角度が調整された後写鏡を、視点位置の誤差範囲内のいずれの位置から見た場合にも、共通して視認できる共通範囲を周辺画像内にて表示してもよい。これにより、誤差範囲内で視点位置がずれたとしても視認可能な範囲を認識できる。
【００９０】
さらに、周辺画像内において移動させた基準ポイントが視認できるように後写鏡の角度を設定する手法は、プログラムや方法としても適用可能である。また、以上のような後写鏡角度設定システム、プログラム、方法は、単独の後写鏡角度設定システムとして実現される場合もあれば、車両に備えられる各部と共有の部品を利用して実現される場合もあり、各種の態様を含むものである。例えば、以上のような後写鏡角度設定システムを備えたナビゲーションシステムや方法、プログラムを提供することが可能である。また、一部がソフトウェアであり一部がハードウェアであったりするなど、適宜、変更可能である。さらに、後写鏡角度設定システムを制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【符号の説明】
【００９１】
１０…ナビゲーションシステム、２０…制御部、２１…後写鏡角度設定プログラム、２１ａ…周辺画像表示部、２１ｂ…基準ポイント表示部、２１ｃ…角度設定部、３０…記録媒体、３０ａ…地図情報、３０ｂ…後写鏡視野情報、４１ａ，４１ｂ…アクチュエータ、４２ａ…左後写鏡、４２ｂ…右後写鏡、４３ａ…左カメラ、４３ｂ…右カメラ、４４…タッチパネル、４６…アクチュエータ群、４７…運転席、Ｃａ…左共通範囲、Ｃｂ…右共通範囲、Ｅ…誤差範囲、４０…後写鏡ＥＣＵ、４５…シートＥＣＵ、Ｆａ…左後写鏡視野、Ｆｂ…右後写鏡視野、Ｇａ…左中央位置、Ｇｂ…右中央位置Ｇｂ、Ｎａ…左周辺画像、Ｎｂ…右周辺画像、Ｐ…視点位置、Ｓａ…左基準ポイント、Ｓｂ…右基準ポイント、Ｔａ，Ｔｂ…角度、Ｖａ…左可視領域、Ｖｂ…右可視領域、Ｚ…車両。
【図１】
2015140068.tif 000003
【図２】
2015140068.tif 000004
【図３】
2015140068.tif 000005
【図４】
2015140068.tif 000006